(57)【要約】【課題】操作部キー操作１段階毎に表示状態が変化して、電気抵抗発熱式加熱手段が不用意な通電をされにくくできると同時に、操作手順誤解を解り易くすることができる。【解決手段】電源スイッチ部２６を入時は、ラジェントヒーター２１は通電不可状態であるとともに、ラジェントヒーター２１に対応する表示部３３ｃには通電不可状態を表示し、ロック解除キー３１を操作すると通電可能状態になるとともに通電不可状態の表示を消去する。【選択図】図１
2005265207.tif 000002
【特許請求の範囲】
【請求項１】
外郭を構成する本体と、前記本体の上面に設けたトッププレートと、前記トッププレートの上に調理容器を載置して加熱する複数の加熱部と、前記トッププレートの下方に前記加熱部に対応して設けた、少なくとも１つを誘導加熱手段とし、他を電気抵抗発熱式加熱手段とした複数の加熱手段と、前記本体上面に配し前記複数の加熱手段に対応して加熱調理を行う条件を入力する平面接触式とした操作部と、前記本体上面に配した電源スイッチとを備え、前記電気抵抗発熱式加熱手段に対応する前記操作部には加熱入切キーと前記加熱入切キーの入動作を可能にするロック解除キーとを備え、前記誘導加熱手段に対応する前記操作部には加熱入切キーを備え、前記電源スイッチを入にした際には、前記電気抵抗発熱式加熱手段は前記操作部に配した前記ロック解除キーを操作後、前記加熱入切キー操作により通電開始し、前記誘導加熱手段は前記操作部に配した前記加熱入切キーより通電開始する構成において、前記誘導加熱手段および電気抵抗発熱式加熱手段に対応した前記操作部に近接して、それぞれの入力状態を示す表示部を備え、前記電源スイッチを入時は、前記電気抵抗発熱式加熱手段は通電不可状態であるとともに、前記電気抵抗発熱式加熱手段に対応する前記表示部に通電不可状態を表示し、前記ロック解除キーを操作すると通電可能状態になるとともに通電不可状態の表示を消去して成る加熱調理器。
【請求項２】
電源スイッチの入り切りに連動して、複数の加熱手段に対応した複数の表示部が点灯および消灯してなる請求項１に記載の加熱調理器。
【請求項３】
電気抵抗発熱式加熱手段は、加熱入切キーを操作し加熱開始後加熱停止した際、電源スイッチ入り後の表示部に通電不可状態を表示する状態に戻ってなる請求項１〜２のいずれか１項に記載の加熱調理器。
【請求項４】
本体天面に配した電源スイッチは、少なくとも切入状態非保持型の機械的接点と、加熱手段の電源ラインを開閉する接点開閉素子と、前記機械的接点の出力を入力し前記接点開閉素子を制御する制御回路とから成り、いずれの加熱手段にも通電しない状態で所定時間が経過した際は、前記接点開閉素子の接点を開にして自動的に切になる電源スイッチ装置と、前記電源スイッチ装置の操作面であるパネルシートとを備え、前記パネルシートの上面がその上面周囲の枠であるプレート枠の上端面よりも低い位置になるよう、前記パネルシートを前記プレート枠に貼り付けて成る請求項１〜３のいずれか１項に記載の加熱調理器。
【発明の詳細な説明】
【技術分野】
【０００１】
本発明は、キッチンなどのキャビネットに組み込んで使用する加熱調理器に関するものである。
【背景技術】
【０００２】
従来、この種の加熱調理器は特許文献１のように、電力供給後および／または調理終了後、一定時間入力操作が行われないときは、操作部の入力操作を受け付けない構成とし、使用者が知らないうちに子供や小動物などの不測の事態によって操作部が触れられ、加熱部が容易にＯＮにならないようにするものがある。
【０００３】
図８は、特許文献１に記載された従来の加熱調理器を示すものである。
【０００４】
図８に示すように、本体１を使用する場合は、鍋（図示せず）を加熱部２ａに載置した後、電源スイッチ３により電源をＯＮにし、次いで操作部４ａの電源開閉キーに触れることにより、誘導加熱コイル５ａが通電され加熱が開始される。電源がＯＮされると同時に計時手段が時間計測を開始し後、一定時間内に操作部４ａの操作キーが操作されない場合は、操作部４ａの電源開閉キーの入力操作を受け付けない構成とし、加熱部２ａが容易にＯＮにならないようにしている。
【特許文献１】特開２００３−７７６３４号公報
【発明の開示】
【発明が解決しようとする課題】
【０００５】
しかしながら前記従来の構成では、一定時間内に操作キーが操作されない場合は、操作部の入力操作を受け付けなくすることにより、安全性を高めるものであり、操作部４ａの電源開閉キーが受け付け状態になっている場合のキー動作や表示や、加熱部２ａが容易にＯＮにならない動作の手段等については、特に具体的に記されていないのでわからないという課題を有していた。
【０００６】
本発明は前記従来技術では不明確な課題を解決するもので、電源スイッチを入りにし、誘導加熱手段の通電開始キーが受け付け状態になっている場合であっても、電気抵抗発熱式加熱手段は不用意に加熱開始せず、その加熱開始までの操作手順が解り易い加熱調理器を提供することを目的とする。
【課題を解決するための手段】
【０００７】
前記従来の課題を解決するために本発明の加熱調理器は、外郭を構成する本体の上面に設けたトッププレートと、トッププレートの上に調理容器を載置して加熱する複数の加熱部と、トッププレートの下方に加熱部に対応して設けた、少なくとも１つを誘導加熱手段とし、他を電気抵抗発熱式加熱手段とした複数の加熱手段と、本体上面に配し複数の加熱手段に対応して加熱調理を行う条件を入力する平面接触式とした操作部と、本体上面に配した電源スイッチとを備え、電気抵抗発熱式加熱手段に対応する操作部には加熱入切キーと加熱入切キーの入動作を可能にするロック解除キーとを備え、誘導加熱手段に対応する操作部には加熱入切キーを備え、電源スイッチを入にした際には、電気抵抗発熱式加熱手段は操作部に配したロック解除キーを操作後、加熱入切キー操作により通電開始し、誘導加熱手段は操作部に配した加熱入切キーより通電開始する構成とし、誘導加熱手段および電気抵抗発熱式加熱手段に対応した操作部に近接して、それぞれの入力状態を示す表示部を備え、電源スイッチ入時は、電気抵抗発熱式加熱手段は通電不可状態であるとともに、電気抵抗発熱式加熱手段に対応する表示部には通電不可状態を表示し、ロック解除キーを操作すると通電可能状態になるとともに通電不可状態の表示を消去するものである。
【０００８】
これにより、電気抵抗発熱式加熱手段を使用する際は、本体上面での操作が加熱開始まで３段階の操作手順になることに加え、電源スイッチを入れた際は表示部には通電不可状態を表示し、次に、ロック解除キーを操作した際は通電不可状態の表示を消去するので、１段階毎に表示状態が変化して使用者に注意を喚起し、電源スイッチを入れた後、電気抵抗発熱式加熱手段が不用意に通電されにくくなり、操作手順を解り易くすることができる。
【０００９】
また、本発明の加熱調理器は、電源スイッチは少なくとも切入状態非保持型の機械的接点と、制御回路と、加熱手段の電源ラインを開閉する接点開閉素子から成り、いずれの加熱手段にも通電しない状態が所定時間経過した際は、前記接点開閉素子の接点を開にして、スイッチを自動的に切にして成るものである。
【００１０】
これにより、天面に配置した電源スイッチが不用意に入り難くなり、かつ、加熱手段につながる電気経路が遮断し不用意な加熱手段の通電をなくすことができる。
【発明の効果】
【００１１】
本発明の加熱調理器は、電源スイッチを入れた後、電気抵抗発熱式加熱手段の不用意な通電がされにくくなり、併せて、操作手順を解り易くすることができる。
【発明を実施するための最良の形態】
【００１２】
第１の発明は、トッププレート上に、複数の加熱部に対応して設けた、少なくとも１つを誘導加熱手段、他を電気抵抗発熱式加熱手段とした複数の加熱手段に対応する、平面接触式とした操作部と、操作部に近接してそれぞれの入力状態を示す表示部を備え、本体上面に配した電源スイッチとを備えている。また、電気抵抗発熱式加熱手段に対応する操作部には加熱入切キーと加熱入切キーの入動作を可能にするロック解除キーとを備え、誘導加熱手段に対応する操作部には加熱入切キーを備えている。電源スイッチを入にした際には、電気抵抗発熱式加熱手段は操作部に配したロック解除キーを操作後、加熱入切キー操作により通電開始し、誘導加熱手段は操作部に配した加熱入切キーより通電開始する構成において、電源スイッチを入時は、電気抵抗発熱式加熱手段は通電不可状態であるとともに、電気抵抗発熱式加熱手段に対応する表示部には通電不可状態を表示し、ロック解除キーを操作すると通電可能状態になるとともに通電不可状態の表示を消去するものである。
【００１３】
これにより、電気抵抗発熱式加熱手段を使用する際は、本体上面での操作が加熱開始まで３段階の操作手順になるとともに、電源スイッチを入れた際は表示部には通電不可状態を表示し、ロック解除キーを操作した際は通電不可状態の表示を消去するので、キー操作１段階毎に表示状態が変化して、電気抵抗発熱式加熱手段の不用意な通電をされにくくできると同時に、操作手順を解り易くすることができる。
【００１４】
第２の発明は、特に第１の発明の動作において、電源スイッチの入り切りに連動して、複数の加熱手段に対応した複数の表示部が点灯および消灯するもので、電源スイッチを入れた際の表示部の通電不可状態の表示により、加熱入切キーを操作しても通電加熱できないこと、および、ロック解除キーを操作した際に通電不可状態の表示が消去されることとを、表示部の点灯により明確に視認できる。また、ロック解除キーを操作した際は通電不可状態の表示が消去され、表示部の状態が他の加熱手段である誘導加熱手段と同一、すなわち表示部が点灯状態のみになり、通電加熱可能状態であることの明確な判別ができる。
【００１５】
第３の発明は、特に第１〜２のいずれか１つの発明において、電気抵抗発熱式加熱手段はロック解除キーと加熱入切キーを操作し加熱開始後加熱停止した際、電源スイッチ入り後の表示部と同様に通電不可状態を表示するもので、平面接触式操作部において電気抵抗発熱式加熱手段による加熱が停止している場合は、必ず通電不可状態の表示と通電開始まで２段以上の操作を備え、不意の電気抵抗発熱式加熱手段の通電を起こりにくくするものである。
【００１６】
第４の発明は、特に第１〜３のいずれか１つの発明において、本体天面に配した電源スイッチは少なくとも切入状態非保持型の機械的接点と、加熱手段の電源ラインを開閉する接点開閉素子と、機械的接点の出力を入力し接点開閉素子を制御する制御回路とから成り、いずれの加熱手段にも通電しない状態で所定時間が経過した際は、接点開閉素子の接点を開にして自動的に切になる電源スイッチ装置と、電源スイッチ装置の操作面であるパネルシートとを備え、パネルシートの上面がその上面周囲の枠であるプレート枠の上端面よりも低い位置になるよう、パネルシートをプレート枠に貼り付けて成る。これにより、電源スイッチは自動的に切になり、加熱手段につながる電気経路が遮断され不用意な加熱手段の通電がなくなる。かつ、電源スイッチ上面のパネルシートが周囲のプレート枠から突出しないので鍋などが当たって不用意に入りにくく、また、機械的接点のストローク分の押し込み動作が必要なので単に触れるだけでは電源スイッチ装置は入らないものになり、電源スイッチを不用意に入らないものにできる。
【００１７】
以下、本発明の実施の形態について、図面を参照しながら説明する。なお、この実施の形態によって本発明が限定されるものではない。
【００１８】
（実施の形態１）
図１から図４は、本発明の第１の実施の形態における加熱調理器の平面図、斜視図、断面図および部分拡大図を示すものである。
【００１９】
図１から図３において、調理器本体１１はキッチンキャビネット１２のワークトップ１３に設けた開口１４に上から落とし込んで組み込まれている。本体１１の上面は結晶化ガラスを素材としたトッププレート１５の周囲をプレート枠１６で囲んで覆われている。本体１１のうちワークトップ１３に入る部分である外郭の上端はフランジ１７に曲げられワークトップ１３に係止されている。トッププレート１５には加熱部１８ａ、１８ｂ、１８ｃが印刷され、トッププレート１５を構成する部材内前部には加熱部１８ａ、１８ｂ、１８ｃに対応する操作部１９ａ、１９ｂ、１９ｃが配されている。操作部１９ａ、１９ｂ、１９ｃはトッププレート１５に印刷された電極部を触れることで電気的容量が変化することに反応する静電容量式のタッチキーとし、天面に凹凸がないため手入れなどの取扱いがしやすい平面接触式を実現している。
【００２０】
加熱部１８ａ、１８ｂ、１８ｃに対応する本体内部には誘導加熱手段を構成する加熱コイル２０ａ、２０ｂ（図示せず）と、加熱コイル２０ａ、２０ｂ後方に電気抵抗発熱式加熱手段であるラジェントヒーター２１が配されている。操作部１９ａ、１９ｂ、１９ｃに対応する本体内部には操作回路ユニット２２が本体１１に係止して固定されている。加熱コイル２０ａ、２０ｂの電源回路である通電制御回路２３ａ、２３ｂ（図示せず）が加熱コイル２０ａ、２０ｂの下方に配され、回路ユニット２３ａ、２３ｂ（図示せず）に対応した前方で操作回路ユニット２２下の位置にそれぞれ冷却ファン２４ａ、２４ｂ（図示せず）を配置し、その下方の本体１底面には吸気口２５ａ、２５ｂ（図示せず）がある。また、プレート枠１６の右前角部には、プレート枠２６で囲った電源スイッチ部２６が配されている。
【００２１】
プレート枠１６はトッププレート１５の端面が露出しないよう、トッププレート１５を取り囲んでいると同時に、後辺縦壁面には排気口２７を設け、本体１１内部とはトッププレート１５裏面と外郭上端のフランジ１７に曲げ部との隙間を介してつながっている。キャビネット１２には、ワークトップ１３前端から奥まった位置のワークトップ１３裏面側とキャビネット最上段引き出しの面板２８との隙間に、通気口２９がある。
【００２２】
また、電気抵抗発熱式加熱手段であるラジェントヒーター２１に対応する操作部１９ｃには、図４に示すように加熱入切キー３０と加熱入切キー３０の入動作を可能にするロック解除キー３１とを備え、誘導加熱手段である加熱コイル２０ａ、２０ｂに対応する操作部１９ａ、１９ｂには誘導加熱手段の加熱入切キー３２ａ、３２ｂを備え、電源スイッチ部２６を入にした際には、ラジェントヒーター２１は操作部１９ｃに配したロック解除キー３１を操作後、加熱入切キー３０操作により通電開始し、加熱コイル２０ａ、２０ｂは操作部１９ａ、１９ｂに配した加熱入切キー３２ａ、３２ｂ操作により通電開始する。加熱コイル２０ａ、２０ｂおよびラジェントヒーター２１に対応した操作部１９ａ、１９ｂ、１９ｃに近接して、それぞれの入力状態を示す表示部３３ａ、３３ｂ、３３ｃを備える。表示部３３ａ、３３ｂ、３３ｃはＬＣＤにより入力状態やタイマー時間、設定温度などを表示するもので、電源スイッチ部２６が入り時点は、ラジェントヒーター２１は通電不可状態であるとともに、ラジェントヒーター２１に対応する表示部３３ｃには通電不可状態を、例えば文字で「ロック中」をＬＣＤに表示し、ロック解除キー３１を操作するとラジェントヒーター２１が通電可能状態になるとともに通電不可状態の表示「ロック中」を消去している。
【００２３】
また、表示部３３ａ、３３ｂ、３３ｃにはＬＣＤ表示内容が視認しやすいようバックライトを設けてあり、電源スイッチ部２６の入り切りに連動して、加熱コイル２０ａ、２０ｂおよびラジェントヒーター２１に対応した複数の表示部部３３ａ、３３ｂ、３３ｃのＬＣＤバックライトが点灯および消灯する。
【００２４】
さらに、ラジェントヒーター２１はロック解除キー３１と加熱入切キー３０とを操作して加熱開始し、さらに再度加熱入切キー３０を操作して加熱停止した際は、電源スイッチ部２６を入れた直後の表示部３３ｃと同様に通電不可状態の表示「ロック中」を表示する。
【００２５】
以上のように構成された誘導加熱調理器について、以下その動作、作用を説明する。
【００２６】
まず、ラジェントヒーター２１を使用する際は、上面に操作部１９ａ、１９ｂ、１９ｃ、表示部３３ａ、３３ｂ、３３ｃ、電源スイッチ部２６を全て集約した本体２１での操作が、ラジェントヒーター２１加熱開始まで電源スイッチ部２６と、ロック解除キー３１と加熱入切キー３０との３段階の操作手順になる。加えて、電源スイッチ部２６を入れた際は表示部３３ｃには通電不可状態を表示し、ロック解除キー３１を操作した際は通電不可状態の表示を消去するので、キー操作１段階毎に表示状態が変化して、電気抵抗発熱式加熱手段の不用意な通電をされにくくできる。また同時に、キー操作１段階毎に表示状態が変化するので、操作手順を解り易くすることができる。
【００２７】
なお、ラジェントヒーター２１が通電可能状態になるとともに通電不可状態の表示は「ロック中」に限るものではなく、ラジェントヒーター２１が通電可能状態であることが理解できれば、別の文字や絵などであってもよい。
【００２８】
以上のように、本実施例の形態においては、キー操作１段階毎に表示状態が変化して、電気抵抗発熱式加熱手段の不用意な通電をされにくくできる。また同時に、キー操作１段階毎に表示状態が変化するので、操作手順を解り易くすることができるという効果がある。
【００２９】
また、本実施の形態では、電源スイッチ部２６の入り切りに連動して、加熱コイル２０ａ、２０ｂおよびラジェントヒーター２１に対応した複数の表示部３３ａ、３３ｂ、３３ｃのＬＣＤバックライトが点灯および消灯する。電源スイッチ部２６を入れた際の、ラジェントヒーター２１の表示部３３ｃが通電不可状態「ロック中」の表示により、加熱入切キー３０を操作しても通電加熱できないこと、および、ロック解除キー３１を操作した際の通電不可状態「ロック中」の表示消去を、表示部３３ｃのバックライト点灯により明確に視認できる。また、ロック解除キー３１を操作した際は通電不可状態の表示「ロック中」が消去され、表示部３３ｃの状態が他の加熱手段である誘導加熱手段の表示と同一な、表示部３３ａ、３３ｂ、３３ｃのバックライトが点灯されるのみになり、共通に通電加熱可能状態であることが明確に判別できる。
【００３０】
また、表示部部３３ａ、３３ｂ、３３ｃがＬＣＤバックライトで照らされるので、通電不可状態の表示「ロック中」をより読み取りしやすい。なお、動作に関わりキー受付した際には、文字表示、光にあわせてさらに音を発すると、より効果を高めることができる。
【００３１】
また、本実施の形態では、ラジェントヒーター２１はロック解除キー３１と加熱入切キー３０を操作して加熱開始した後加熱停止した際は、本体１１通電始め時に電源スイッチ部２６入り後と同様に、表示部３３ｃに通電不可状態「ロック中」を表示するもので、静電容量式など平面接触式操作部において、ラジェントヒーター２１による加熱が停止している場合は、必ず「ロック中」など通電不可状態の表示と通電開始までロック解除キー３１と加熱入切キー３０の２段以上の操作を備えており、不意な電気抵抗発熱式加熱手段の通電を起こりにくくできる。
【００３２】
なお、ラジェントヒーター２１を一旦加熱開始した後、加熱停止する場合として、再度加熱入切キー３０を操作して調理終了する場合や、ラジェントヒーター２１が所定時間連続通電後自動的に加熱停止する場合、ラジェントヒーター２１に対応した操作部１９ｃにタイマーがあり、タイマー設定時間後にラジェントヒーター２１が加熱停止する場合などがある。
【００３３】
電源スイッチ部２６入り後、ＬＣＤバックライトが点灯するものにあっては、「ロック中」の文字有無という状態変化がより識別しやすくなり、不意な電気抵抗発熱式加熱手段の通電がより起こりにくくなる。
【００３４】
（実施の形態２）
図５から図７は、本発明の第２の実施の形態の加熱調理器の部分拡大図、要部断面図、およびブロック図を示すものである。
【００３５】
実施形態１で述べた構成、動作は共通のもので、電源スイッチ部２６の構成をさらに詳しく述べるものである。
【００３６】
図６は図５の断面を示す。電源スイッチ部２６は、表面にパネルシート３４をプレート枠１６に貼り付け、内側にはパネルシート３４の操作力を伝えるキートップ３５と、キートップ３５により接点接触する切入状態非保持型の機械的接点３６とがある。機械的接点３６をスイッチ底板３７で受け止め、ネジ３８でプレート枠１６の裏面側に固定している。
【００３７】
図７において、機械的接点３６と、制御回路３９と、制御回路３９により動作信号を受け加熱コイル２０ａ、２０ｂとラジェントヒーター２１の電源ラインを開閉する接点開閉素子であるリレー４０とから電源スイッチ装置４１が成っている。加熱手段である加熱コイル２０ａ、２０ｂとラジェントヒーター２１の通電制御回路２３ａ、２３ｂへの電源供給ラインを、電源スイッチ装置４１を構成するリレー４０で入り切りする。
【００３８】
電源スイッチ装置４１が入り状態であるが、加熱コイル２０ａ、２０ｂとラジェントヒーター２１のいずれの加熱手段にも通電しない状態が所定時間経過した際は、リレー４０の接点を開にすべく制御回路３９が出力を切ることで、電源スイッチ装置４１を自動的に切にすることが構成でき、加熱手段である加熱コイル２０ａ、２０ｂとラジェントヒーター２１につながる電気経路とが遮断され、電源スイッチ装置４１を再度入りにしない限り、不用意な操作部１９ｃの触れにより赤熱する加熱手段であるラジェントヒーター２１が通電することがなくなるものである。
【００３９】
また、機械的接点３６を状態非保持型とするので、機械接点を構成する電源スイッチ素子を表面実装型タクトスイッチで構成でき、小型・薄型化が実現できる。これにより、パネルシート３４をプレート枠１６に貼り付けた下方の厚さの範囲でスイッチ部２６の接点構成を実現でき、電源スイッチ装置４１の操作面であるパネルシート３４の上面が周囲の枠であるプレート枠１６の上端面よりも低い位置になるよう、プレート枠１６に貼り付けて成るので、スイッチ部２６が天面上端面高さであるプレート枠１６から突起することなく、鍋などはプレート枠１６に当たることによりスイッチ部２６に触れないので電源スイッチ装置４１は不用意な入りになりにくくできる。かつ、静電容量式など平面接触式ではなく機械接点を有するので、単に触れるだけでなく、機械的接点のストローク分の動作で押さなければ電源スイッチ装置４１は入らないものになり、電源スイッチ装置４１が不用意に入らないものになる。
【００４０】
また、電源スイッチ構成４１は少なくとも切入状態非保持型の機械的接点３６と、制御回路３９と、加熱手段の電源ラインを開閉する接点開閉素子であるリレー４０から成るので、機械的接点３６が切入状態非保持型であることから、電気的に接点開閉素子であるリレー４０を開閉すればよく、加熱コイル２０ａ、２０ｂ、ラジェントヒーター２１の加熱手段につながる電気経路を電気的に遮断する構成が容易に実現できる。
【００４１】
また、プレート枠１６の裏面に機械的接点２６を固定するので、接点位置がパネルシート３４から一定位置に固定され、操作感のバラツキを少なくできる。
【産業上の利用可能性】
【００４２】
以上のように、本発明にかかる加熱調理器は、電気抵抗発熱式加熱手段は操作部に配したロック解除キーを操作後、加熱入切キー操作により通電開始し、加熱手段に対応した操作部に近接して、それぞれの入力状態を示す表示部を備え、電源スイッチ入時は、電気抵抗発熱式加熱手段は通電不可状態であるとともに、電気抵抗発熱式加熱手段に対応する表示部には通電不可状態を表示し、ロック解除キーを操作すると通電可能状態になるとともに通電不可状態の表示を消去するもので、電気抵抗発熱式加熱手段を使用する際は、本体上面での操作が加熱開始まで３段階の操作手順になるとともに、電源スイッチを入れた際は表示部には通電不可状態を表示し、ロック解除キーを操作した際は通電不可状態の表示を消去するので、キー操作１段階毎に表示状態が変化して、電気抵抗発熱式加熱手段が不用意に通電されにくくできると同時に、操作手順誤解を解り易くすることができるので組み込み式の加熱調理器等に適用できる。
【図面の簡単な説明】
【００４３】
【図１】本発明の実施の形態１における加熱調理器の平面図
【図２】本発明の実施の形態１における加熱調理器の斜視図
【図３】本発明の実施の形態１における加熱調理器の断面図
【図４】本発明の実施の形態１における加熱調理器の部分拡大図
【図５】本発明の実施の形態２における加熱調理器の部分拡大図
【図６】本発明の実施の形態２における加熱調理器の要部拡大図
【図７】本発明の実施の形態２における加熱調理器のブロック図
【図８】従来例における加熱調理器の斜視図
【符号の説明】
【００４４】
１１  本体
１５  トッププレート
１６  プレート枠
１８ａ、１８ｂ、１８ｃ  加熱部
１９ａ、１９ｂ、１９ｃ  操作部
２０ａ、２０ｂ  加熱コイル（誘導加熱手段）
２１  ラジェントヒーター（電気抵抗発熱式加熱手段）
２３ａ、２３ｂ  通電制御回路ユニット
２６  電源スイッチ部（電源スイッチ）
３０  加熱入切キー
３１  ロック解除キー
３２ａ、３２ｂ  誘導加熱手段の加熱入切キー
３３ａ、３３ｂ、３３ｃ  表示部
３４  パネルシート
３６  機械的接点
３９  制御回路
４０  リレー（接点開閉素子）
４１  電源スイッチ装置（電源スイッチ）
【図１】
2005265207.tif 000003
【図２】
2005265207.tif 000004
【図３】
2005265207.tif 000005
【図４】
2005265207.tif 000006
【図５】
2005265207.tif 000007
【図６】
2005265207.tif 000008
【図７】
2005265207.tif 000009
【図８】
2005265207.tif 000010